(57)【要約】【課題】  光ファイバ心線を傷つけることなく安全に所定の曲げを付与することができ、しかも製造コストを低減することのできる心線対照用曲げ治具を提供すること。【解決手段】  雄型２と雌型３とで光ファイバ心線４を挟んで曲げ変形を付与する心線対照用曲げ治具１において、雄型２は、光ファイバ心線４の延在方向に離間して配置された一対の心線押え用フランジ部２１，２２の間に、先端が所定の曲率の凸曲面２４に形成された曲げ用凸部２５が隆起形成され、雌型３は、曲げ用凸部２５の両側面との間に光ファイバ心線４の外径よりも大きな隙間Ｓ１が確保されるように装備された一対の心線押え突起３１，３２によって、光ファイバ心線４を一対の心線押え用フランジ部２１，２２に押さえつける。【選択図】        図１
2008268460.tif 000002
【特許請求の範囲】
【請求項１】
雄型と雌型とで光ファイバ心線を挟むことで光ファイバ心線に所定の曲げ変形を付与する心線対照用曲げ治具であって、
前記雄型は、前記光ファイバ心線の延在方向に離間して配置された一対の心線押え用フランジ部の間に、先端が所定の曲率の凸曲面に形成された曲げ用凸部が隆起形成され、
前記雌型は、前記曲げ用凸部の両側面との間に前記光ファイバ心線の外径よりも大きな隙間が確保されるように前記一対の心線押え用フランジ部に対向配置されて前記心線押え用フランジ部との間に前記光ファイバ心線を挟み込む一対の心線押え突起と、これらの一対の心線押え突起相互の基端を連結して一対の心線押え突起間に前記曲げ用凸部と該曲げ用凸部に押し付けられた光ファイバ心線とを隙間を有して収容する凹部を形成する連結部とを備えていることを特徴とする心線対照用曲げ治具。
【請求項２】
前記凹部が、前記曲げ用凸部の両側面と前記心線押え突起との間の隙間より、前記曲げ用凸部の上方に確保される隙間の方が大きくなる矩形断面に設定されていることを特徴とする請求項１に記載の心線対照用曲げ治具。
【請求項３】
前記雄型と前記雌型とがピンセット状に基端が連結された２本の板ばねのそれぞれの自由端に結合され、対向する前記雄型と前記雌型との間に光ファイバ心線を挿通して、２本の板ばねを互いに接近する方向に押圧すると、光ファイバ心線に所定の曲げ変形を付与した状態が得られ、各板ばねの押圧を解除すると、前記雄型と前記雌型とが離間して、光ファイバ心線に付与していた曲げ変形が解除されることを特徴とする請求項１又は２に記載の心線対照用曲げ治具。
【発明の詳細な説明】
【技術分野】
【０００１】
本発明は、光ファイバケーブル内の光ファイバ心線に所定の曲げ変形を付与する心線対照用曲げ治具に関する。
【背景技術】
【０００２】
光ファイバケーブルは、通常多数の光ファイバ心線を包含し、しかも一本で数ｋｍに及ぶほど長いものであるから、それらを接続したり成端したりするとき、光ファイバ心線を１本ずつ先端と後端とを対照して同一心線であることを確認する心線対照作業が必要となる。
【０００３】
この心線対照作業の方法としては、対照すべき光ファイバ心線の一端部から参照光を入射し、且つ、その対照すべき光ファイバ心線には所定の曲げ変形を加えて、その曲げ部からの参照光の漏れ光の測定、あるいは、その光ファイバ心線の他端部における受光レベルの変化を測定することにより、光ファイバ心線の対照を行う方法が知られている。
【０００４】
そして、このような心線対照作業時に光ファイバ心線に一定の曲げを加える装置として、従来より、雄型と雌型とで光ファイバ心線を挟むことで光ファイバ心線に所定の曲げ変形を付与する心線対照用曲げ治具が各種提案されている。
【０００５】
例えば、光ファイバ心線が押し付けられる雄型の凸曲面と、この凸曲面に光ファイバ心線を押し付ける雌型の凹曲面とを略同じ曲率の湾曲面に形成して、ぞれぞれの凸曲面と凹曲面とで光ファイバ心線を所定の曲げ状態に挟み込むものが提案されている（例えば、特許文献１参照）。
【０００６】
また、雄型の凸曲面と雌型の凹曲面とで光ファイバ心線を挟むが、凸曲面又は凹曲面のいずれか一方に光ファイバ心線が入るＶ溝又は平型溝を形成して、挟み込む光ファイバ心線が幅方向に位置ずれすることのないようにしたものも提案されている（例えば、特許文献２参照）。
【０００７】
また、心線対照する箇所の外気温を検出する温度検知手段と、光ファイバ心線を把持する際に雄型又は雌型を昇降移動させるアクチュエータと、温度検出手段の検出温度に基づいてアクチュエータの動作量を制御する制御装置とを備えて、外気温に応じて光ファイバ心線に付与する曲げを調整するようにしたものも提案されている（例えば、特許文献３参照）。
【０００８】
【特許文献１】特開２００６−２３５３６２号公報
【特許文献２】特公平７−７８５６７号公報
【特許文献３】特開平１１−３０４６４４号公報
【発明の開示】
【発明が解決しようとする課題】
【０００９】
ところが、特許文献１のように雄型の凸曲面と雌型の凹曲面とを同じ曲率の湾曲面に形成する構成の曲げ治具は、雄型と雌型のそれぞれに、高精度な湾曲面を形成しなければならないため、手間のかかる曲面加工量が増えて、雄型及び雌型の製造コストが高額化するという問題があった。
また、雄型の凸曲面及び雌型の凹曲面のそれぞれが高精度に形成されていても、雄型と雌型とが僅かに心線挿通方向に位置ずれして突き合されると、凸曲面と凹曲面との間の隙間が一定でなくなり、基準よりも狭い隙間に挟まれた光ファイバ心線は、大きな圧縮荷重や剪断荷重を受けて損傷する虞があった。
【００１０】
また、特許文献２のように凸曲面又は凹曲面のいずれか一方に光ファイバ心線が入るＶ溝又は平型溝を形成した構成のものは、光ファイバ心線の撓みや弾性により治具内を挿通する光ファイバ心線に心線幅方向への波打ちが生じていると、心線が溝内に収まらずに該光ファイバ心線の一部が溝からはみ出た状態で雄型と雌型とが閉じられて、溝からはみ出た心線が想定外の強い圧縮荷重又は剪断荷重で挟まれて、損傷する虞があった。
【００１１】
また、特許文献３のように、雄型及び雌型の開閉するアクチュエータの動作量を、周囲温度に応じて制御する構成のものは、装備する機器構成が複雑になり、高額化すると同時に、治具が重量化・大型化するという問題があった。
心線対照作業は、マンホール等の中の狭い暗所で行うことも少なくないため、治具の軽量化や小型化が重要課題になっている。
また、誤って別の光ファイバ心線に曲げを付与してしまった場合、その光ファイバ心線における通信に障害を招かないためにも、速やかに曲げを解除する必要が生じるが、特許文献３のような複雑な構成では、曲げの解除を速やかにできないという問題もあった。
【００１２】
本発明の目的は上記課題を解消することに係り、光ファイバ心線を傷つけることなく安全に所定の曲げを付与することができ、しかも雄型及び雌型における曲面加工量の低減によって製造コストを低減することのできる心線対照用曲げ治具を提供すること、更には、雄型と雌型との開閉機構が簡単で、軽量化・小型化を図ることができ、誤って別の光ファイバ心線に曲げを付与した場合に曲げの解除を速やかに行うことができる心線対照用曲げ治具を提供することを目的とする。
【課題を解決するための手段】
【００１３】
（１）上記した課題を解決するために、本発明による心線対照用曲げ治具は、雄型と雌型とで光ファイバ心線を挟むことで光ファイバ心線に所定の曲げ変形を付与する心線対照用曲げ治具であって、
前記雄型は、前記光ファイバ心線の延在方向に離間して配置された一対の心線押え用フランジ部の間に、先端が所定の曲率の凸曲面に形成された曲げ用凸部が隆起形成され、
前記雌型は、前記曲げ用凸部の両側面との間に前記光ファイバ心線の外径よりも大きな隙間が確保されるように前記一対の心線押え用フランジ部に対向配置されて前記心線押え用フランジ部との間に前記光ファイバ心線を挟み込む一対の心線押え突起と、これらの一対の心線押え突起相互の基端を連結して一対の心線押え突起間に前記曲げ用凸部と該曲げ用凸部に押し付けられた光ファイバ心線とを隙間を有して収容する凹部を形成する連結部とを備えていることを特徴とする。
【００１４】
（２）また、上記（１）に記載の心線対照用曲げ治具は、前記凹部が、前記曲げ用凸部の両側面と前記心線押え突起との間の隙間より、前記曲げ用凸部の上方に確保される隙間の方が大きくなる矩形断面に設定されていることを特徴としても良い。
【００１５】
（３）また、上記（１）又は（２）に記載の心線対照用曲げ治具は、前記雄型と前記雌型とがピンセット状に基端が連結された２本の板ばねのそれぞれの自由端に結合され、対向する前記雄型と前記雌型との間に光ファイバ心線を挿通して、２本の板ばねを互いに接近する方向に押圧すると、光ファイバ心線に所定の曲げ変形を付与した状態が得られ、各板ばねの押圧を解除すると、前記雄型と前記雌型とが離間して、光ファイバ心線に付与していた曲げ変形が解除されることを特徴としても良い。
【発明の効果】
【００１６】
本発明による心線対照用曲げ治具によれば、雄型との間に光ファイバ心線を挟む雌型は、光ファイバ心線の延在方向に離間して設けられた一対の心線押え突起により光ファイバ心線を雄型の凸曲面の両側の一対の心線押え用フランジ部に押さえつけることで、光ファイバ心線に所定の曲げ変形を付与するもので、雄型の凸曲面と同じ曲率の湾曲面を持った構造ではない。
即ち、光ファイバ心線に所定の曲げ変形を付与するための高精度な湾曲面は、雄型の方だけに形成すれば良く、雄型及び雌型における曲面加工量の低減によって製造コストを低減することができる。
【発明を実施するための最良の形態】
【００１７】
以下、本発明に係る心線対照用曲げ治具の好適な実施の形態について、図面を参照して詳細に説明する。
図１は本発明に係る心線対照用曲げ治具の一実施の形態の側面図、図２（ａ）は図１のＡ矢視図、図２（ｂ）は雄型と雌型とが少し押圧されて、雄型と雌型によって光ファイバ心線に曲げを付与している途中の状態を示す図１のＡ矢視図、図２（ｃ）は雄型と雌型とが最後まで押圧されて、雄型と雌型によって光ファイバ心線に所定の曲げが付与されている状態を示す図１のＡ矢視図である。
【００１８】
この一実施の形態の心線対照用曲げ治具１は、接続作業等を実施する光ファイバケーブル内の光ファイバ心線を対照するために、雄型２と雌型３とで光ファイバ心線４を挟むことで光ファイバ心線４に所定の曲げ変形を付与する。
これらの雄型２と雌型３とを開閉する開閉機構６は、ピンセット状に基端が連結された２本の板ばね６１，６２のそれぞれの自由端に結合されている。
【００１９】
雄型２は、図２（ａ）に示すように、光ファイバ心線４の延在方向（図２では、左右方向）に離間して配置された一対の心線押え用フランジ部２１，２２の間に、先端が所定の曲率の凸曲面２４に形成された曲げ用凸部２５が隆起して形成された構造である。
この雄型２は、凸曲面２４と逆側の平坦な底面部２ａが、開閉機構６を構成している２本の板ばね６１，６２の内の下側の板ばね６１の自由端に固着されている。
雄型２の曲げ用凸部２５及び心線押え用フランジ部２１，２２は、光ファイバ心線４がその幅方向（図１の左右方向）に波打ちしたり、多少の位置ずれしても、脱落することがないように、十分な幅寸法Ｗ１を有している。
【００２０】
雌型３は、曲げ用凸部２５の略垂直な両側面との間に光ファイバ心線４の外径よりも大きな隙間Ｓ１が確保されるように一対の心線押え用フランジ部２１，２２に対向配置された一対の心線押え突起３１，３２と、これらの心線押え突起３１，３２の基端を連結する連結部３６とを備えている。
隙間Ｓ１は、光ファイバ心線４の外径をｄ、雄型２及び雌型３の光ファイバ心線４の挿通方向への取付誤差をｆとすると、Ｓ１＞ｄ＋ｆとなるように、設定されている。
【００２１】
一対の心線押え突起３１，３２は、図２（ｃ）に示すように、その先端で、心線押え用フランジ部２１，２２との間に対照すべき光ファイバ心線４を拘束する。この心線押え突起３１，３２の先端の内側の角部には、図２（ａ）に示すように、接触する光ファイバ心線４に緩やかな曲げを付与する円弧面状の面取りＲ１が付与されている。ここで、光ファイバ心線４に曲げを付与することができれば、光ファイバ心線４を、心線押え用フランジ部２１，２２と心線押え突起３１，３２で挟み込む必要はない。
【００２２】
連結部３６は、図２（ｃ）に示すように、一対の心線押え突起３１，３２相互の基端を連結して、一対の心線押え突起３１，３２間に、曲げ用凸部２５と該曲げ用凸部２５に押し付けられた光ファイバ心線４とを隙間を空けて収容する凹部３４を形成している。
凹部３４は、図２（ｃ）に示すように、心線押え突起３１，３２が光ファイバ心線４を心線押え用フランジ部２１，２２上に押さえつけた時に、凸曲面２４に押し付けられた光ファイバ心線４の上方と連結部３６との間に隙間Ｓ２が確保される矩形断面に設定されている。
本実施の形態の場合、隙間Ｓ２は、光ファイバ心線４を挟まないように曲げ用凸部２５の両側に確保される隙間Ｓ１よりも大きく設定されている。
【００２３】
また、雌型３の心線押え突起３１，３２は、光ファイバ心線４がその幅方向（図１の左右方向）に波打ちしたり、多少の位置ずれしても、脱落することがないように、十分な幅寸法Ｗ２を有している。本実施の形態の場合、心線押え突起３１，３２の幅寸法Ｗ２は、心線押え用フランジ部２１，２２及び凸曲面２４の幅寸法Ｗ１に略等しく設定されている。
【００２４】
雌型３は、連結部３６の外面が、開閉機構６を構成している２本の板ばね６１，６２の内の上側の板ばね６２の自由端に固着されている。
【００２５】
本実施の形態の心線対照用曲げ治具１の場合、雄型２、雌型３、板ばね６１，６２は、いずれも金属板で形成されている。そして、雄型２と板ばね６１との固着、一対の板ばね６１，６２の基端部の固着、雌型３と板ばね６２との固着は、いずれも、スポット溶接により達成されている。
【００２６】
以上に説明した心線対照用曲げ治具１は、図１及び図２（ａ）に示すように、対向する雄型２と雌型３との間に光ファイバ心線４を挿通して、その後、２本の板ばね６１，６２を互いに接近する方向に押圧すると、図２（ｂ），（ｃ）に示すように、雄型２と雌型３とが光ファイバ心線４を挟み込んで、光ファイバ心線４に所定の曲げ変形を付与した状態が得られる。また、図２（ｃ）の状態から、各板ばね６１，６２の押圧を解除すると、各板ばね６１，６２の復元力によって、図２（ａ）に示した状態に雄型２と雌型３とが離間して、光ファイバ心線４に付与していた曲げ変形が解除される。
【００２７】
なお、本実施の形態の場合、開閉機構６を構成する一対の板ばね６１，６２の対向する一方の内面には、図１に示すように、光ファイバ心線４を挟む直前に光ファイバ心線４が雄型２、雌型３から外れて板ばね６１，６２によって挟まれるのを防止するスポンジストッパ７１が装備されている。
【００２８】
以上に説明した心線対照用曲げ治具１によれば、雄型２との間に光ファイバ心線４を挟む雌型３は、光ファイバ心線４の延在方向に離間して設けられた一対の心線押え突起３１，３２により光ファイバ心線４を雄型２の凸曲面２４の両側の一対の心線押え用フランジ部２１，２２に押さえつけることで、光ファイバ心線４に所定の曲げ変形を付与するもので、雄型２の凸曲面２４と同じ曲率の湾曲面を持った構造ではない。
即ち、光ファイバ心線４に所定の曲げ変形を付与するための高精度な湾曲面は、雄型２の方だけに形成すれば良く、雄型２及び雌型３における曲面加工量の低減によって製造コストを低減することができる。
【００２９】
また、光ファイバ心線４を挟む部位は、曲げ用凸部２５に装備される所定の曲率の凸曲面２４の部位ではなく、該曲げ用凸部２５の両側に離間して配置された心線押え用フランジ部２１，２２の位置であり、しかも、一対の心線押え用フランジ部２１，２２に当接する雌型３の一対の心線押え突起３１，３２間は、曲げ用凸部２５と該曲げ用凸部２５に押し付けられた光ファイバ心線４とを隙間を有して収容する凹部３４になっているため、雄型２と雌型３とが僅かに心線挿通方向に位置ずれして突き合されても、曲げ用凸部２５に押し付けられた光ファイバ心線４の一部が雌型３に接触することが無く、光ファイバ心線４の一部に損傷を招く大きな圧縮荷重や剪断荷重がかかる虞がない。
更に、光ファイバ心線４を挟む部位では光ファイバ心線４の幅方向の位置を規制する溝を備えていないため、光ファイバ心線４の撓みや弾性により治具内を挿通する光ファイバ心線４に心線幅方向への波打ちが生じていても、想定外の強い圧縮荷重又は剪断荷重で挟んで損傷させることが無い。
従って、光ファイバ心線４を傷つけることなく安全に所定の曲げを付与することができる。
【００３０】
また、本実施の形態の心線対照用曲げ治具１は、凹部３４が、曲げ用凸部２５の両側面と心線押え突起３１，３２との間の隙間Ｓ１より、曲げ用凸部２５の凸曲面２４の上方に確保される隙間Ｓ２の方が大きくなる矩形断面に設定されている。
そのため、雌型３は、図示例のようにコ字状断面の単純構造とすることができ、雌型の凹部を雄型の凸曲面に対応する高精度な凹曲面に形成する従来構造の場合と比較すると、雌型３の加工コストを安価に抑えて、製造コストの低減を図ることができる。
【００３１】
また、本実施の形態の心線対照用曲げ治具１では、雄型２と雌型３との開閉機構６は、ピンセット状に形成された２本の板ばね６１，６２により構成される極めて単純な機構となるため、雄型と雌型とを昇降させるアクチュエータやその制御装置を備える従来のものと比較すると、心線対照用曲げ治具１の軽量化・小型化を図ることができ、更に、誤って別の光ファイバ心線４に曲げを付与した場合に曲げの解除を速やかに行うことができる。
【００３２】
また、本実施の形態の場合、開閉機構６を構成する一対の板ばね６１，６２の対向する一方の内面には、光ファイバ心線４を挟む直前に光ファイバ心線４が雄型２、雌型３から外れて板ばね６１，６２によって挟まれるのを防止するスポンジストッパ７１が雄型２と雌型３に近接する位置に装備されたため、光ファイバ心線４を誤って板ばね６１，６２で挟み込むことがなく、かつ作業者が誤って板ばね６１，６２を強く押圧しても、光ファイバ心線４が衝撃的に挟まれることがなく、光ファイバ心線４の傷つきを防止することができ、安全に光ファイバ心線４に曲げを付与することができる。
【００３３】
なお、本実施の形態の心線対照用曲げ治具の場合、雄型２や雌型３や開閉機構６としての板ばね６１，６２はいずれも金属板製で、スポット溶接により一体化したが、全てを樹脂により一体成形するようにしても良い。
【図面の簡単な説明】
【００３４】
【図１】本発明に係る心線対照用曲げ治具の一実施の形態の側面図である。
【図２】（ａ）は図１のＡ矢視図、（ｂ）は光ファイバ心線に曲げを付与している途中の状態を示す図１のＡ矢視図、（ｃ）は図１に示した状態から雄型と雌型とを支持している各板ばねが最後まで押圧されて、雄型と雌型によって光ファイバ心線に所定の曲げが付与されている状態を示す図１のＡ矢視図である。
【符号の説明】
【００３５】
１  心線対照用曲げ治具
２  雄型
３  雌型
４  光ファイバ心線
６  開閉機構
２１，２２  心線押え用フランジ部
２４  凸曲面
２５  曲げ用凸部
３１，３２  心線押え突起
３４  凹部
３６  連結部
６１，６２  板ばね
【図１】
2008268460.tif 000003
【図２】
2008268460.tif 000004